(57)【要約】【課題】原稿を搬送して読み取る画像読取装置において、搬送方向における画像データの伸縮を抑制すること。【解決手段】画像読取装置１では、原稿の原稿長を搬送経路に沿った供給ローラと第１搬送ローラの間の第１搬送距離Ｌ１及び搬送経路に沿った供給ローラと第２搬送ローラとの間の第２搬送距離Ｌ２と比較する（Ｓ４４）。そして、原稿長が第１搬送距離Ｌ１以上の長さを有し、第２搬送距離Ｌ２よりも短い第１原稿種の原稿である場合（Ｓ４４：ＹＥＳ）と、原稿長が第２搬送距離Ｌ２以上の長さを有する第２原稿種の原稿である場合（Ｓ４４：ＮＯ）とで、原稿Ｇの読み取りに用いる先端到達タイミングＳＴ等のパラメータに対して異なるパラメータを設定し（Ｓ４６〜Ｓ５２）、原稿を読み取る。【選択図】図６
2014103561.tif 000002
【特許請求の範囲】
【請求項１】
原稿が載置される載置部と、
前記載置部に載置された前記原稿に接触して回転し、前記原稿を一枚ずつ搬送経路へと送り出す供給ローラと、
第１搬送ローラと第２搬送ローラとを有し、前記供給ローラによって前記搬送経路へと送り出された前記原稿を前記第１搬送ローラ、前記第２搬送ローラの順に用いて前記搬送経路に沿って搬送する搬送部と、
前記搬送部によって搬送された前記原稿が排出される排出部と、
前記搬送経路上の前記第１搬送ローラと前記第２搬送ローラとの間の読取位置に配置され、前記搬送部によって搬送される前記原稿を前記読取位置で主走査方向に読み取る画像読取部と、
制御部と、
を備え、
前記制御部は、
前記搬送経路に沿った搬送方向における前記原稿の原稿長が、前記搬送経路に沿った前記第１搬送ローラと前記第２搬送ローラとの間の第１搬送距離以上の長さを有し、前記搬送経路に沿った前記供給ローラと前記第２搬送ローラとの間の第２搬送距離よりも短い第１原稿種であるか、前記第２搬送距離以上の長さを有する第２原稿種であるかを判断する判断処理と、
前記判断処理の判断結果に応じて、前記原稿の前記搬送方向における先端が前記読取位置に到達する先端到達タイミングと、前記原稿の前記搬送方向における後端が前記読取位置に到達する後端到達タイミングと、前記画像読取部が読み取った読取データの前記主走査方向に直交する副走査方向における拡大又は縮小倍率を示す副走査倍率と、の少なくとも１つを設定する設定処理と、
前記設定処理の設定で前記原稿を前記画像読取部に読み取らせる読取処理と、
を実行する、画像読取装置。
【請求項２】
請求項１に記載の画像読取装置であって、
前記供給ローラは、前記搬送経路の前記主走査方向の搬送領域のうちの一部分に設けられ、
前記第１搬送ローラ及び前記第２搬送ローラは、前記主走査方向において複数のローラを有し、
前記制御部は、
前記判断処理において、前記原稿が前記第２原稿種であると判断した場合に、前記原稿が、前記第１搬送ローラと前記第２搬送ローラのいずれの搬送ローラにおいても基準数以下のローラにより搬送される第３原稿種であるか、前記第１搬送ローラと前記第２搬送ローラの少なくとも一方の搬送ローラにおいて前記基準数より多くのローラにより搬送される第４原稿種であるかを更に判断し、
前記設定処理において、前記判断結果が前記第３原稿種であるか前記第４原稿種であるかに応じて、前記先端到達タイミングと、前記後端到達タイミングと、前記副走査倍率と、の少なくとも１つを設定する、画像読取装置。
【請求項３】
請求項２に記載の画像読取装置であって、
前記排出部は、第１排出部と第２排出部を有し、
前記搬送経路は、前記第２搬送ローラの下流側において第１搬送経路と、第２搬送経路とに分岐し、
前記搬送部は、前記第１原稿種及び第３原稿種の原稿を前記第１搬送経路を用いて前記第１排出部に搬送し、前記第４原稿種の原稿を第２搬送経路を用いて前記第２排出部に搬送する、画像読取装置。
【請求項４】
請求項１から請求項３のいずれか一項に記載の画像読取装置であって、
前記画像読取部は、前記搬送経路上の前記第１搬送ローラと前記第２搬送ローラとの間の第１読取位置に配置され、前記原稿の一方の面を読み取る第１画像読取部と、前記搬送経路上の前記第１搬送ローラと前記第２搬送ローラとの間の第２読取位置に配置され、前記原稿の他方の面を読み取る第２画像読取部と、を有する、
画像読取装置。
【請求項５】
請求項１から請求項４のいずれか一項に記載の画像読取装置であって、
更に、
前記画像読取装置の温度を検出する温度センサを備え、
前記制御部は、
前記設定処理において、前記温度センサによって検出された温度に応じて前記先端読取タイミング、前記後端読取タイミング、前記副走査倍率を設定する、画像読取装置。
【請求項６】
請求項５に記載の画像読取装置であって、
前記先端到達タイミング及び前記後端到達タイミングは、温度が高いほど早いタイミングとして設定され、
前記副走査倍率は、温度が高いほど大きく設定される、画像読取装置。
【請求項７】
請求項１から請求項６のいずれか一項に記載の画像読取装置であって、
更に、
操作部を備え、
前記制御部は、
前記判断処理において、前記操作部を介して受け付けた前記原稿の原稿サイズに基づいて、前記原稿の原稿長を検出し、原稿種を判断する、画像読取装置。
【発明の詳細な説明】
【技術分野】
【０００１】
本明細書に開示される発明は、原稿を搬送して読み取る画像読取装置に関する。
【背景技術】
【０００２】
従来、原稿を搬送して読み取る画像読取装置が知られている（例えば、特許文献１）。画像読取装置では、搬送される原稿の厚みが厚くなると、原稿に曲がり癖がついたり、ジャムが発生するなどの問題が生じる。そのため、従来から、搬送される原稿の厚さを検出し、検出した原稿の厚さによって搬送経路を切り換える技術が用いられている。
【先行技術文献】
【特許文献】
【０００３】
【特許文献１】特開平１１−１２７３０１号公報
【発明の概要】
【発明が解決しようとする課題】
【０００４】
原稿を搬送して読み取る画像読取装置では、原稿の厚みだけでなく、原稿の原稿サイズによっても問題が発生することがある。例えば、画像読取装置の搬送経路に沿って、上流側から給紙トレイに載置された原稿を、一枚ずつ搬送経路へと送り出す供給ローラ、第１搬送ローラ、第２搬送ローラがこの順に配置されている装置を考える。この画像読取装置では、原稿の搬送方向における原稿長が搬送経路に沿った供給ローラと第１搬送ローラとの間の距離よりも長く、搬送経路に沿った第１搬送ローラと第２搬送ローラとの間の距離よりも長い場合に、これらのローラを用いて原稿を搬送することができる。
【０００５】
この場合において、原稿の原稿長が搬送経路に沿った供給ローラと第２搬送ローラとの間の搬送距離よりも短いと、当該原稿が供給ローラから離反してから第２搬送ローラに到達する間は、当該原稿は第１搬送ローラのみによって搬送される。一方、原稿の原稿長が供給ローラと第２搬送ローラとの間の搬送距離以上であると、当該原稿が供給ローラから離反した直後においても、当該原稿は第１搬送ローラ及び第２搬送ローラによって搬送され、第１搬送ローラのみによって搬送されることがない。そのため、原稿の原稿長が搬送距離よりも短い原稿では、原稿の原稿長が搬送距離以上の原稿に比べて、搬送ローラから受け取る搬送方向の推進力が小さく、原稿の搬送速度が遅れ、原稿を読み取った画像データが搬送方向に沿って伸びる問題が発生する。このように、原稿を搬送して読み取る画像読取装置では、原稿の原稿サイズによって、画像データが搬送方向に伸縮する問題が生じる。
【０００６】
本明細書では、原稿を搬送して読み取る画像読取装置において、搬送方向における画像データの伸縮を抑制する技術を開示する。
【課題を解決するための手段】
【０００７】
本明細書によって開示される画像読取装置は、原稿が載置される載置部と、前記載置部に載置された前記原稿に接触して回転し、前記原稿を一枚ずつ搬送経路へと送り出す供給ローラと、第１搬送ローラと第２搬送ローラとを有し、前記供給ローラによって前記搬送経路へと送り出された前記原稿を前記第１搬送ローラ、前記第２搬送ローラの順に用いて前記搬送経路に沿って搬送する搬送部と、前記搬送部によって搬送された前記原稿が排出される排出部と、前記搬送経路上の前記第１搬送ローラと前記第２搬送ローラとの間の読取位置に配置され、前記搬送部によって搬送される前記原稿を前記読取位置で主走査方向に読み取る画像読取部と、制御部と、を備え、前記制御部は、前記搬送経路に沿った搬送方向における前記原稿の原稿長が、前記搬送経路に沿った前記第１搬送ローラと前記第２搬送ローラとの間の第１搬送距離以上の長さを有し、前記搬送経路に沿った前記供給ローラと前記第２搬送ローラとの間の第２搬送距離よりも短い第１原稿種であるか、前記第２搬送距離以上の長さを有する第２原稿種であるかを判断する判断処理と、前記判断処理の判断結果に応じて、前記原稿の前記搬送方向における先端が前記読取位置に到達する先端到達タイミングと、前記原稿の前記搬送方向における後端が前記読取位置に到達する後端到達タイミングと、前記画像読取部が読み取った読取データの前記主走査方向に直交する副走査方向における拡大又は縮小倍率を示す副走査倍率と、の少なくとも１つを設定する設定処理と、前記設定処理の設定で前記原稿を前記画像読取部に読み取らせる読取処理と、を実行する。
【０００８】
この画像読取装置では、原稿の原稿長を装置固有の第１搬送距離及び第２搬送距離と比較して原稿の原稿種を判断し、その判断結果に応じて原稿の読み取りに用いる先端到達タイミング等のパラメータを設定し、当該原稿を読み取る。この画像読取装置によれば、原稿長に起因して生じる画像データの伸縮を、原稿種に応じて設定されたパラメータを用いて補正することができ、読取データの伸縮を抑制することができる。
【０００９】
また、上記の画像読取装置では、前記供給ローラは、前記搬送経路の前記主走査方向の搬送領域のうちの一部分に設けられ、前記第１搬送ローラ及び前記第２搬送ローラは、前記主走査方向において複数のローラを有し、前記制御部は、前記判断処理において、前記原稿が前記第２原稿種であると判断した場合に、前記原稿が、前記第１搬送ローラと前記第２搬送ローラのいずれの搬送ローラにおいても基準数以下のローラにより搬送される第３原稿種であるか、前記第１搬送ローラと前記第２搬送ローラの少なくとも一方の搬送ローラにおいて前記基準数より多くのローラにより搬送される第４原稿種であるかを更に判断し、前記設定処理において、前記判断結果が前記第３原稿種であるか前記第４原稿種であるかに応じて、前記先端到達タイミングと、前記後端到達タイミングと、前記副走査倍率と、の少なくとも１つを設定する構成としても良い。
【００１０】
原稿を搬送して読み取る画像読取装置では、更に、原稿の主走査方向における原稿幅によっても問題が発生することがある。一般に、原稿幅が比較的狭く、主走査方向に並んだ基準数以下のローラにより搬送される原稿は、原稿幅が比較的広く、主走査方向に並んだ基準数より多くのローラにより搬送される原稿に比べて、搬送ローラから推進力を受けにくく、画像データが伸びやすい。
【００１１】
この画像読取装置では、原稿が第２原稿種である場合に、原稿が第１搬送ローラ及び第２搬送ローラにおいて基準数より多くのローラにより搬送される原稿幅を有しているか否かを判断し、その判断結果に応じて原稿の読み取りに用いるパラメータを設定する。この画像読取装置によれば、原稿幅に起因して生じる画像データの伸縮を、原稿種に応じて設定されたパラメータを用いて補正することができ、読取データの伸縮を抑制することができる。
【００１２】
また、上記の画像読取装置では、前記排出部は、第１排出部と第２排出部を有し、前記搬送経路は、前記第２搬送ローラの下流側において第１搬送経路と、第２搬送経路とに分岐し、前記搬送部は、前記第１原稿種及び第３原稿種の原稿を前記第１搬送経路を用いて前記第１排出部に搬送し、前記第４原稿種の原稿を第２搬送経路を用いて前記第２排出部に搬送する構成としても良い。
【００１３】
第１原稿種の原稿は、第２原稿種の原稿に比べて原稿長が短い。また、第２原稿種のうち、第３原稿種の原稿は、第４原稿種の原稿に比べて原稿幅が狭く、一般に第４原稿種の原稿に比べて原稿長が短い。この画像読取装置によれば、比較的原稿長の短い第１原稿種及び第３原稿種の原稿を、第１搬送経路を用いて搬送することができ、比較的原稿長の長い第４原稿種の原稿を、第２搬送経路を用いて搬送することができる。
【００１４】
また、上記の画像読取装置では、前記画像読取部は、前記搬送経路上の前記第１搬送ローラと前記第２搬送ローラとの間の第１読取位置に配置され、前記原稿の一方の面を読み取る第１画像読取部と、前記搬送経路上の前記第１搬送ローラと前記第２搬送ローラとの間の第２読取位置に配置され、前記原稿の他方の面を読み取る第２画像読取部と、を有する構成としても良い。
【００１５】
この画像読取装置によれば、第１画像読取部と第２画像読取部を用いて原稿の両面を読み取る際に、各画像読取部において、原稿長や原稿幅に起因して生じる画像データの伸縮を抑制することができる。
【００１６】
また、上記の画像読取装置では、更に、前記画像読取装置の温度を検出する温度センサを備え、前記制御部は、前記設定処理において、前記温度センサによって検出された温度に応じて前記先端読取タイミング、前記後端読取タイミング、前記副走査倍率を設定する構成としても良い。
【００１７】
搬送部の第１搬送ローラ及び前記第２搬送ローラは、温度により膨張又は収縮をすることから、画像読取装置の温度により画像データが伸縮する。この画像読取装置では、画像読取装置の温度に応じて先端読取タイミング、後端読取タイミング、副走査倍率を設定するので、画像読取装置の温度に起因して生じる画像データの伸縮を抑制することができる。
【００１８】
また、上記の画像読取装置では、前記先端到達タイミング及び前記後端到達タイミングは、温度が高いほど早いタイミングとして設定され、前記副走査倍率は、温度が高いほど大きく設定される構成としても良い。この画像読取装置によれば、画像読取装置の温度に起因して生じる画像データの伸縮を補正することができる。
【００１９】
また、上記の画像読取装置では、更に、操作部を備え、前記制御部は、前記判断処理において、前記操作部を介して受け付けた前記原稿の原稿サイズに基づいて、前記原稿の原稿長を検出し、原稿種を判断する構成としても良い。
【００２０】
この画像読取装置では、読取処理に先だって実行される判断処理において、操作部を介して受け取った原稿サイズから原稿の原稿長を検出し、原稿の原稿種を判断するので、原稿を読み取るに先だって、原稿の原稿種を判断することができる。
【発明の効果】
【００２１】
本明細書によって開示される画像読取装置では、原稿を搬送して読み取る画像読取装置において、搬送方向における画像データの伸縮を抑制することができる。
【図面の簡単な説明】
【００２２】
【図１】画像読取装置の概略的な断面図
【図２】本体部の概略的な上面図
【図３】画像読取装置の電気的構成を概略的に示すブロック図
【図４】搬送読取処理を示すフローチャート
【図５】実施形態１の読取処理を示すフローチャート
【図６】パラメータ設定処理を示すフローチャート
【図７】各原稿の原稿長及び原稿幅と搬送ローラの位置関係を示す図
【図８】各パラメータの温度依存性を示すグラフ
【図９】実施形態２の読取処理を示すフローチャート
【図１０Ａ】原稿搬送時において、搬送部から原稿に加わる力を示す図
【図１０Ｂ】原稿搬送時において、搬送部から原稿に加わる力を示す図
【図１１Ａ】原稿搬送時において、搬送部から原稿に加わる力を示す図
【図１１Ｂ】原稿搬送時において、搬送部から原稿に加わる力を示す図
【発明を実施するための形態】
【００２３】
＜実施形態１＞
実施形態１を、図１ないし図８を用いて説明する。
【００２４】
１．画像読取装置の機械的構成
図１に示すように、画像読取装置１は、使用者により給紙トレイ２に載置された複数の原稿Ｇを排紙トレイ４に搬送するとともに、搬送中の原稿Ｇを本体部３に含まれる第１ＣＩＳ３０及び第２ＣＩＳ３２を用いて読み取るシートフィードスキャナである。給紙トレイ２は、載置部の一例であり、排紙トレイ４は、排出部の一例である。また、第１ＣＩＳ３０は、第１画像読取部の一例であり、第２ＣＩＳ３０は、第２画像読取部の一例である。
【００２５】
画像読取装置１の本体部３には、給紙トレイ２と排紙トレイ４を接続する搬送経路２２が設けられており、この搬送経路２２の周辺に、給紙ローラ４０と、分離パッド４２と、第１搬送ローラ４４と、第２搬送ローラ４６と、切換板４８と、第１ＣＩＳ３０と、第２ＣＩＳ３２と、フロントセンサ（以下、Ｆセンサ）１３と、リアセンサ（以下、Ｒセンサ）１４と、を備える。給紙ローラ４０は、供給ローラの一例である。
【００２６】
給紙ローラ４０は、給紙トレイ２に載置された原稿Ｇに当接して回転し、給紙トレイ２に載置された原稿Ｇを本体部３の内部へと送り出す。この際、原稿Ｇは、分離パッド４２の摩擦力により各原稿Ｇ毎に分離され、搬送経路２２へと送り出される。
【００２７】
給紙トレイ２には、給紙トレイ２に載置された原稿Ｇを介してお互いに対向する吸入ローラ５０及び吸入パッド５２が設けられている。吸入ローラ５０及び吸入パッド５２は、給紙ローラ４０及び分離パッド４２が給紙トレイ２に載置された原稿Ｇを搬送経路２２へと送り出すのを補助する。
【００２８】
搬送ローラ４４、４６は、モータＭ（図３参照）により駆動され、本体部３の内部へと引き込まれた原稿Ｇを搬送経路２２に沿って搬送する。搬送経路２２において、第１搬送ローラ４４は、第２搬送ローラ４６よりも上流側に載置されている。本実施形態の画像読取装置１で搬送可能な原稿Ｇの搬送経路２２に沿った原稿長は搬送経路２２に沿った第１搬送ローラ４４と第２搬送ローラ４６の間の距離（第１搬送距離Ｌ１）よりも長い。
【００２９】
第１ＣＩＳ３０は、搬送経路２２上の第１搬送ローラ４４と第２搬送ローラ４６との間の第１読取位置Ｙ１に配置され、搬送される原稿Ｇの一方の面を第１読取位置Ｙ１で読み取る。また、第２ＣＩＳ３２は、搬送経路２２上の第１読取位置Ｙ１と第２搬送ローラ４６との間の第２読取位置Ｙ２に配置され、搬送される原稿Ｇの裏面を第２読取位置Ｙ２で読み取る。
【００３０】
第２搬送ローラ４６は、原稿Ｇを排紙トレイ４に排出する。第２搬送ローラ４６の搬送経路２２を挟んで対向する位置に、切換板４８が配置されている。切換板４８は、その姿勢が、排紙トレイ４Ａへと続くストレートパス（以下、Ｓパス）２２Ａに沿った第１姿勢Ｆ１と、排紙トレイ４Ｂへと続くＵターンパス（以下、Ｕパス）２２Ｂに沿った第２姿勢Ｆ２とに切り替わる。Ｓパス２２Ａは、第１搬送経路の一例であり、Ｕパス２２Ｂは、第２搬送経路の一例である。また、排紙トレイ４Ａは、第１排出部の一例であり、排紙トレイ４Ｂは、第２排出部の一例である。
【００３１】
Ｓパス２２Ａ及びＵパス２２Ｂは、搬送経路２２が第２搬送ローラ４６に上流側から到達する位置Ｚ３よりも下流側であって、搬送経路２２が切換板４８と対向する位置Ｚ４において搬送経路２２が分岐してなる。Ｓパス２２Ａは、略直線状に設けられており、名刺やハガキなどの小型原稿の搬送に用いられる。また、Ｕパス２２Ｂは、その一部が第２搬送ローラ４６に沿って曲線状に設けられており、Ａ４サイズ原稿などの大型原稿の搬送に用いられる。
【００３２】
排紙トレイ４Ａは、本体部３の外側ケースの一部をなすトレイ板５４によって構成されている。また、排紙トレイ４Ｂは、本体部３上部の外側ケースによって構成されている。トレイ板５４は、本体部３に対して回動可能に構成されており、図１に実線で示す閉状態から、図１に二点鎖線で示す開状態に回動することで、排紙トレイ４Ｂを構成する。切換板４８は、トレイ板５４の状態に連動して姿勢が切り替わり、トレイ板５４が閉状態となると第１姿勢Ｆ１となり、トレイ板５４が開状態となると第２姿勢Ｆ２となる。また、本体部３には、トレイ板５４の開閉状態を検出するトレイ板検知センサ１５が設けられている。トレイ板検知センサ１５は、トレイ板５４が閉状態の場合にオンし、トレイ板５４が開状態の場合にオフする。
【００３３】
切換板４８が図１に二点鎖線で示す第１姿勢Ｆ１である場合、原稿ＧはＳパス２２Ａに沿って搬送され、排紙トレイ４Ａに排紙される。一方、切換板４８が図１に実線で示す第２姿勢Ｆ２である場合、原稿ＧはＵパス２２Ｂに沿って搬送され、排紙トレイ４Ｂに排紙される。つまり、吸入ローラ５０と給紙ローラ４０と第１搬送ローラ４４と第２搬送ローラ４６とによって、給紙トレイ２に載置された原稿Ｇを搬送経路２２に沿って搬送する搬送部５６が形成されている。
【００３４】
Ｆセンサ１３は、給紙トレイ２内の検出位置Ｙ３に配置され、給紙トレイ２に原稿Ｇが載置された場合にオンし、給紙トレイ２に原稿Ｇが載置されていない場合にオフする。Ｒセンサ１４は、搬送経路２２において第１搬送ローラ４４と第１読取位置Ｙ１との間の検出位置Ｙ４に配置され、原稿Ｇが搬送経路２２上の検出位置Ｙ４を通過する場合にオンし、原稿Ｇが検出位置Ｙ４を通過していない場合にオフする。つまり、Ｒセンサ１４は、検出位置Ｙ４を通過する原稿Ｇを検出する。
【００３５】
更に、画像読取装置１には、搬送方向Ｄ２においてＦセンサ１３と同じ検出位置Ｙ３に配置され（図２参照）、給紙トレイ２に載置された原稿Ｇが大型原稿である場合にオンし、小型原稿である場合にオフする原稿サイズ検知センサ１６、装置内の温度Ｔを検出する温度センサ１７、電源スイッチや各種設定ボタンからなり、使用者からの操作指令等を受け付ける操作部１１（図２参照）、ＬＥＤや液晶ディスプレイからなり画像読取装置１の状況を表示する表示部１２（図２参照）等が設けられている。
【００３６】
図２に本体部３の内部を上面視して示すように、搬送経路２２は、主走査方向Ｄ１において所定の幅を有しており、原稿Ｇは搬送経路２２に連続する給紙トレイ２に載置される際に、主走査方向Ｄ１において中央基準で載置される。そして、原稿Ｇは、搬送経路２２を搬送される際に、大型原稿では、搬送経路２２の主走査方向Ｄ１の幅領域を示す搬送領域Ｈの全域を用いて搬送され、小型原稿では、搬送領域Ｈの中央の一部領域である中央領域ＭＨのみを用いて搬送される。中央領域ＭＨは、主走査方向の搬送領域のうちの一部分の一例である。以下、搬送領域Ｈのうち、中央領域ＭＨより右側の領域を右側領域ＲＨと呼び、中央領域ＭＨより左側の領域を左側領域ＬＨと呼ぶ。
【００３７】
トレイ板５４は、主走査方向Ｄ１の幅が中央領域ＭＨの幅と略等しく設定されている。そのため、トレイ板５４によって構成される排紙トレイ４Ａには、中央領域ＭＨのみを用いて搬送された小型原稿が排出される。Ｆセンサ１３及びＲセンサ１４は、検出位置Ｙ３の中央領域ＭＨの主走査方向Ｄ１における中央近傍に配置されており、原稿サイズ検知センサ１６は、検出位置Ｙ３の左側領域ＬＨであって、中央領域ＭＨとの境界近傍に配置されている。
【００３８】
吸入ローラ５０及び給紙ローラ４０は、主走査方向において各々が１つのローラによって構成されており、中央領域ＭＨに配置されている。その一方、第１搬送ローラ４４及び第２搬送ローラ４６は、主走査方向において各々が同一の回転軸周りに同期して回転する３つのローラによって構成されており、その３つのローラが右側領域ＲＨ、中央領域ＭＨ、左側領域ＬＨにそれぞれ配置されている。
【００３９】
そのため、図７に破線で示す名刺や一点鎖線で示すハガキなどの小型原稿は、第１搬送ローラ４４及び第２搬送ローラ４６を用いて搬送される際に、中央領域ＭＨに配置された各々１つのローラを用いて搬送される。その一方、図７に二点鎖線で示すＡ４サイズ原稿などの大型原稿は、各々１つのローラより多くの３つのローラによって搬送される。１つのローラは、基準数以下のローラの一例であり、３つのローラは、基準数より多くのローラの一例である。
【００４０】
２．画像読取装置の電気的構成
図３に示すように、画像読取装置１は、中央処理装置（以下、ＣＰＵ）２０、ＲＯＭ２６、ＲＡＭ２７、デバイス制御部２３、第１アナログフロントエンド（以下、ＡＦＥ）２４、第２ＡＦＥ２５、搬送部駆動回路２８を備え、これらにバス１９を介して、操作部１１、表示部１２、及び各種センサ１３〜１７が接続されている。図３に点線２１で示すように、ＣＰＵ２０と、ＲＯＭ２６と、ＲＡＭ２７を含めたものは、制御部の一例である。
【００４１】
ＲＯＭ２６には、画像読取装置１の動作を制御するための各種のプログラムが記憶されており、ＣＰＵ２０は、ＲＯＭ２６から読み出したプログラムに従って各部の制御を行うとともに、後述する搬送読取処理を実行する。また、ＲＯＭ２６には、当該画像読取装置１の第１搬送距離Ｌ１、第２搬送距離Ｌ２及び中央領域ＭＨの幅Ｈ０が記憶されている他、後述して説明する第１ステップ数ＰＡ、第２ステップ数ＰＢ、及び副走査倍率ＨＢが記憶されている。
【００４２】
デバイス制御部２３は、ＣＩＳ３０、３２に接続されており、ＣＰＵ２０からの命令に基づいて読取制御信号をＣＩＳ３０、３２に送信する。ＣＩＳ３０、３２は、デバイス制御部２３からの読取制御信号に基づいて原稿Ｇの一方の面又は他方の面を読み取る。
【００４３】
第１ＡＦＥ２４は、第１ＣＩＳ３０に接続されており、第１ＣＩＳ３０から出力されるアナログ信号の読取データをデジタル信号、つまり階調データの読取データに変換する。第１ＡＦＥ２４は、変換した階調データを、バス１９を介してＲＡＭ２７に記憶する。第２ＡＦＥ２５は、第２ＣＩＳ３０に接続されており、第２ＣＩＳ３０から出力されるアナログ信号の読取データをデジタル信号の読取データに変換し、バス１９を介してＲＡＭ２７に記憶する。
【００４４】
搬送部駆動回路２８は、モータＭに接続され、ＣＰＵ２０から入力されるパルス信号に基づいてモータＭを回転駆動する。モータＭは、パルス信号の１パルスで、１ステップの回転角度分、回転駆動する。モータＭが１ステップ分駆動すると、搬送部５６を構成する各ローラが所定角度回転し、搬送経路２２上を原稿Ｇが所定距離だけ搬送される。ＣＰＵ２０は、原稿Ｇを搬送する際に、搬送部駆動回路２８にパルス信号を送信し、これに従って搬送部５６は、そのパルス信号のパルスの数に所定距離を掛けた距離だけ原稿Ｇを搬送する。以後、ＣＰＵ２０がモータＭに送信するパルス信号のパルスの数を、ステップ数と呼ぶ。
【００４５】
搬送部５６では、搬送経路２２に沿って搬送される原稿Ｇにしわが発生するのを抑制するため、給紙ローラによって搬送経路２２へと送り出された原稿Ｇが第１搬送ローラ４４又は第２搬送ローラ４６によって搬送され始めると、図１０に示すように、第１搬送ローラ４４は、搬送方向Ｄ２に原稿Ｇを進める推進力Ｆ１を与え、第２搬送ローラ４６は、搬送方向Ｄ２に原稿Ｇを進める推進力Ｆ３を与え、給紙ローラ４０は、搬送方向Ｄ２への推進を阻害する抑制力Ｆ２を与える。
【００４６】
図１０Ａに示すように、Ａ４サイズ原稿などの大型原稿では、３つの第１搬送ローラ４４を用いて搬送されることから、原稿Ｇは、３つの推進力Ｆ１と１つの抑制力Ｆ２を受けて搬送される。その一方、図１０Ｂに示すように、名刺やハガキなどの小型原稿では、１つの第１搬送ローラ４４を用いて搬送されることから、原稿Ｇは、１つの推進力Ｆ１と１つの抑制力Ｆ２を受けて搬送される。つまり、小型原稿は、大型原稿に比べて原稿Ｇの搬送に用いられる第１搬送ローラ４４の数が少ないことから、推進力と抑制力との合力において抑制力Ｆ２の影響が大きい。
【００４７】
そのため、図７に破線で示す名刺や一点鎖線で示すハガキなどの小型原稿では、原稿Ｇの搬送方向における先端が読取位置Ｙ１、Ｙ２に到達する先端到達タイミングＳＴや原稿Ｇの搬送方向における後端が読取位置Ｙ１、Ｙ２に到達する後端到達タイミングＫＴが、図７に二点鎖線で示すＡ４サイズ原稿などの大型原稿のそれらに比べて遅れる。また、小型原稿では、原稿Ｇが読取位置Ｙ１、Ｙ２を通過する期間が大型原稿のそれに比べて長くなることから、ＣＩＳ３０、３２が読み取る読取データの副走査方向Ｄ２における拡大又は縮小倍率を示す副走査倍率ＨＢを大型原稿のそれに比べて大きくする必要がある。
【００４８】
また、図７に破線で示す名刺などのように原稿長が第２搬送距離Ｌ２よりも短い第１原稿種の原稿Ｇでは、原稿Ｇが位置Ｚ３に到達する前に、原稿Ｇが給紙ローラ４０から離反する。その一方、図７に一点鎖線で示すハガキや二点鎖線で示すＡ４サイズ原稿などのように原稿長が第２搬送距離Ｌ２以上の長さを有する第２原稿種の原稿Ｇでは、原稿Ｇが位置Ｚ３に到達した後に、原稿Ｇが給紙ローラ４０から離反する。
【００４９】
つまり、第２原稿種の原稿Ｇでは、原稿Ｇが供給ローラから離反した後は、第１搬送ローラ４４及び第２搬送ローラ４６によって搬送される一方、第１原稿種の原稿Ｇでは、原稿Ｇが給紙ローラ４０から離反した後に、第１搬送ローラ４４のみによって搬送される。
【００５０】
そのため、図１１Ａに示すように、ハガキやＡ４サイズ原稿などの第２原稿種の原稿Ｇでは、抑制力Ｆ２を受けている期間に推進力Ｆ１及び推進力Ｆ３を受けて搬送されることがある。その一方、図１１Ｂに示すように、名刺などの第１原稿種の原稿Ｇでは、抑制力Ｆ２を受けている期間に推進力Ｆ１及び推進力Ｆ３を受けて搬送されることがない。従って、第１原稿種の原稿Ｇは、第２原稿種の原稿Ｇに比べて抑制力Ｆ２を受けている期間における抑制力Ｆ２の影響が大きい。
【００５１】
そのため、第１原稿種の原稿Ｇでは、先端到達タイミングＳＴ及び後端到達タイミングＫＴが、第２原稿種の原稿Ｇのそれらに比べて遅れる。また、第１原稿種の原稿Ｇでは、副走査方向Ｄ２における副走査倍率ＨＢを第２原稿種の原稿Ｇのそれに比べて大きくする必要がある。
【００５２】
このように、画像読取装置１では、原稿Ｇの原稿長が第２搬送距離Ｌ２よりも短いか否か等によって、適した先端到達タイミングＳＴ、後端到達タイミングＫＴ、及び副走査倍率ＨＢ等のパラメータが異なる。本実施形態の画像読取装置１では、後述する搬送読取処理において、原稿Ｇの原稿長に応じて、これらのパラメータを設定する処理を含む。
【００５３】
３．搬送読取処理
次に、図４ないし図８を参照して、原稿Ｇの搬送読取処理について説明する。本実施形態では、第１ＣＩＳ３０を用いて原稿Ｇの一方の面を読み取る形態について説明する。図４は、ＣＰＵ２０が所定のプログラムに従って実行する搬送読取処理のフローチャートを示す。ＣＰＵ２０は、Ｆセンサ１３を用いて給紙トレイ２に原稿Ｇが載置されたことが確認され、操作部１１を介して使用者から原稿Ｇの搬送読取指示が入力されると、処理を開始する。
【００５４】
ＣＰＵ２０は、搬送読取処理を開始すると、搬送読取指示に併せて受け付けた原稿Ｇの種類や原稿Ｇの読取面などの読取設定を受け付ける（Ｓ２）。次に、ＣＰＵ２０は、トレイ板検知センサ１５と原稿サイズ検知センサ１６の状態を確認する。ＣＰＵ２０は、まず、トレイ板検知センサ１５がオンしているかを確認し、トレイ板検知センサ１５がオンしている場合（Ｓ４：ＹＥＳ）、つまり、トレイ板５４が閉状態の場合に、原稿ＧがＵパス２２Ｂに沿って搬送されることを検知する。
【００５５】
次に、ＣＰＵ２０は、原稿サイズ検知センサ１６がオンしているか否かを確認する（Ｓ６）。原稿サイズ検知センサ１６がオンしている場合（Ｓ６：ＹＥＳ）、Ｕパス２２Ｂに沿って搬送される原稿Ｇが大型原稿であることから、トレイ板検知センサ１５と原稿サイズ検知センサ１６の状態に矛盾が生じていない。ＣＰＵ２０は、この場合に、原稿ＧがＵパス２２Ｂに沿って搬送されることを示すＵパスフラグをオンし（Ｓ１０）、後述する読取処理を実行する（Ｓ１８）。
【００５６】
一方、ＣＰＵ２０は、原稿サイズ検知センサ１６がオフしている場合（Ｓ６：ＮＯ）、Ｕパス２２Ｂに沿って搬送される原稿Ｇが小型原稿であることを検知する。Ｕパス２２Ｂに沿って小型原稿が搬送されると、Ｕパス２２Ｂの第２搬送ローラ４６に沿った曲線部分においてジャムが発生しやすい。そのため、ＣＰＵ２０は、この場合に、原稿Ｇの搬送を開始する前に、「トレイ板が閉じているので、トレイ板を開けて下さい。」との旨のエラーメッセ−ジを表示部１２に表示させ（Ｓ１２）、搬送読取処理を終了する。
【００５７】
また、ＣＰＵ２０は、トレイ板検知センサ１５がオフしている場合（Ｓ４：ＮＯ）、つまり、トレイ板５４が開状態の場合に、原稿ＧがＳパス２２Ｂに沿って搬送されることを検知し、次に、原稿サイズ検知センサ１６がオンしているか否かを確認する（Ｓ８）。原稿サイズ検知センサ１６がオフしている場合（Ｓ８：ＮＯ）、Ｓパス２２Ａに沿って搬送される原稿Ｇが小型原稿であることから、トレイ板検知センサ１５と原稿サイズ検知センサ１６の状態に矛盾が生じていない。ＣＰＵ２０は、この場合に、原稿ＧがＳパス２２Ａに沿って搬送されることを示すＳパスフラグをオンし（Ｓ１４）、後述する読取処理を実行する（Ｓ１８）。
【００５８】
一方、ＣＰＵ２０は、原稿サイズ検知センサ１６がオンしている場合（Ｓ８：ＹＥＳ）、Ｓパス２２Ａに沿って搬送される原稿Ｇが大型原稿であることを検知する。Ｓパス２２Ｂに沿って大型原稿が搬送されると、原稿Ｇを排紙トレイ４Ｂに排出することができずにジャムが発生する。そのため、ＣＰＵ２０は、原稿Ｇの搬送を開始する前に、「トレイ板が開いているので、トレイ板を閉じて下さい。」との旨のエラーメッセ−ジを表示部１２に表示させ（Ｓ１６）、搬送読取処理を終了する。
【００５９】
次に、読取処理について説明する。図５に、読取処理のフローチャートを示す。読取処理において、ＣＰＵ２０は、まず、搬送部５６に対して原稿Ｇの搬送を指示する（Ｓ２２）。次に、先端到達タイミングＳＴ、後端到達タイミングＫＴ、及び副走査倍率ＨＢ等のパラメータを設定するパラメータ設定処理を実行する（Ｓ２４）。
【００６０】
図６に、パラメータ設定処理のフローチャートを示す。パラメータ設定処理において、ＣＰＵ２０は、まず、温度センサ１７を用いて装置内の温度Ｔを検出する（Ｓ４２）。次に、ＣＰＵ２０は、第１ＣＩＳ３０の読み取りに用いるパラメータを設定する処理（Ｓ４４〜Ｓ５２）を実行する。
【００６１】
ＣＰＵ２０は、第１ＣＩＳ３０のパラメータを設定する際に、まず、Ｓ２において設定された原稿種における原稿長を、ＲＯＭ２６に記憶された第１搬送距離Ｌ１及び第２搬送距離Ｌ２と比較する（Ｓ４４）。ＣＰＵ２０は、原稿Ｇの原稿長が第１搬送距離Ｌ１以上の長さを有し、第２搬送距離Ｌ２よりも短い場合（Ｓ４４：ＹＥＳ）、原稿Ｇが第１原稿種の原稿Ｇであると判断する。この場合、ＣＰＵ２０は、原稿Ｇが第１原稿種の原稿Ｇであることに応じて、先端到達タイミングＳＴ、後端到達タイミングＫＴ、及び副走査倍率ＨＢ等のパラメータ又はこれらのパラメータを設定するためのパラメータを設定する（Ｓ４６）。
【００６２】
具体的には、ＣＰＵ２０は、搬送経路２２を搬送される原稿Ｇの先端が検出位置Ｙ４に到達してから、距離Ｘ１だけ原稿Ｇを搬送する、つまり原稿Ｇの先端が第１読取位置Ｙ１に到達するまでに必要なステップ数である第１ステップ数ＰＡを第１原稿種に対応するＰＡ３（Ｔ）に設定する。これにより、原稿Ｇの先端が検出位置Ｙ４に到達したタイミングから、パルス信号の周期にＰＡ３（Ｔ）を積した時間経過したタイミングが、第１ＣＩＳ３０の先端到達タイミングＳＴとして設定される。
【００６３】
また、ＣＰＵ２０は、搬送経路２２を搬送される原稿Ｇの後端が検出位置Ｙ４に到達してから、距離Ｘ１だけ原稿Ｇを搬送する、つまり原稿Ｇの後端が第１読取位置Ｙ１に到達するまでに必要なステップ数である第２ステップ数ＰＢを第１原稿種に対応するＰＢ３（Ｔ）に設定する。これにより、原稿Ｇの後端が検出位置Ｙ４に到達したタイミングから、パルス信号の周期にＰＢ３（Ｔ）を積した時間経過したタイミングが、第１ＣＩＳ３０の後端到達タイミングＫＴとして設定される。
【００６４】
更に、ＣＰＵ２０は、搬送経路２２を搬送される原稿Ｇが第１読取位置Ｙ１を通過するのに必要なステップ数から、第１ＣＩＳ３０の副走査倍率ＨＢを第１原稿種に対応するＨＢ３（Ｔ）に設定する。
【００６５】
第１ステップ数ＰＡ、第２ステップ数ＰＢ、及び副走査倍率ＨＢ等のパラメータは、また、装置内の温度Ｔの影響を受ける。画像読取装置１では、装置内の温度Ｔの上昇に伴い、各ローラが膨張して原稿Ｇの搬送速度が上昇する。また、装置内の温度Ｔの低下に伴い、各ローラが縮小して原稿Ｇの搬送速度が低下する。つまり、画像読取装置１では、装置内の温度Ｔにより原稿Ｇの搬送速度に影響がある。
【００６６】
そのため、ＲＯＭ２６には、第１ステップ数ＰＡ、第２ステップ数ＰＢ、及び副走査倍率ＨＢ等のパラメータが各温度領域毎に設定されて記憶されている。図８に、各ＣＩＳ３０、３２及び各温度領域毎の副走査倍率ＨＢを、予め設定された標準副走査倍率からの補正値として示す。また、各ＣＩＳ３０、３２及び各温度領域毎の第１ステップ数ＰＡ、第２ステップ数ＰＢを、予め設定された標準副走査倍率からの補正値であって距離に換算したものとして示す。なお、本実施形態では、第１ステップ数ＰＡと第２ステップ数ＰＢが等しい値に設定されている。
【００６７】
図８に示すように、第１ステップ数ＰＡ及び第２ステップ数ＰＢは、より温度の高い温度領域となるに従って小さくなるように設定され、副走査倍率ＨＢは、より温度の高い温度領域となるに従って大きくなるように設定されている。ＣＰＵ２０は、第１ステップ数ＰＡ、第２ステップ数ＰＢ、及び副走査倍率ＨＢ等のパラメータを設定する際に、搬送される原稿Ｇの原稿種とともに、Ｓ４２において検出した装置内の温度Ｔに応じて当該パラメータを設定する。
【００６８】
一方、ＣＰＵ２０は、原稿Ｇの原稿長が第１搬送距離Ｌ１及び第２搬送距離Ｌ２以上の長さを有している第２原稿種の原稿Ｇである場合（Ｓ４４：ＮＯ）、更に、Ｓ２において設定された原稿種が、小型原稿に属するものか、大型原稿に属するものかを判断する。
【００６９】
ＣＰＵ２０は、Ｓ２において設定された原稿種における原稿幅を、ＲＯＭ２６に記憶された中央領域ＭＨの幅Ｈ０と比較する（Ｓ４８）。ＣＰＵ２０は、原稿Ｇの原稿幅が中央領域ＭＨの幅Ｈ０以下の長さを有する場合（Ｓ４８：ＹＥＳ）、原稿Ｇがハガキなどの小型原稿に属する第３原稿種の原稿Ｇであると判断する。この場合、ＣＰＵ２０は、原稿Ｇが第３原稿種の原稿Ｇであること、及びＳ４２において検出した装置内の温度Ｔに応じて、第１ステップ数ＰＡをＰＡ２（Ｔ）に設定し、第２ステップ数ＰＢをＰＢ２（Ｔ）に設定し、副走査倍率ＨＢをＨＢ２（Ｔ）に設定する（Ｓ５０）。
【００７０】
一方、ＣＰＵ２０は、原稿Ｇの原稿幅が中央領域ＭＨの幅Ｈ０よりも長い場合（Ｓ４４：ＹＥＳ）、原稿Ｇの原稿サイズがＡ４サイズ原稿などの大型原稿に属する第４原稿種の原稿Ｇであると判断する。この場合、ＣＰＵ２０は、原稿Ｇが第４原稿種の原稿Ｇであること、及びＳ４２において検出した装置内の温度Ｔに応じて、第１ステップ数ＰＡをＰＡ１（Ｔ）に設定し、第２ステップ数ＰＢをＰＢ１（Ｔ）に設定し、副走査倍率ＨＢをＨＢ１（Ｔ）に設定する（Ｓ５２）。
【００７１】
図８に示すように、ＲＯＭ２６には、同一の温度領域において、第１ステップ数ＰＡは、ＰＡ１（Ｔ）、ＰＡ２（Ｔ）ＰＡ３（Ｔ）の順に大きくなるように設定されている。また、第２ステップ数ＰＢは、ＰＢ１（Ｔ）、ＰＢ２（Ｔ）ＰＢ３（Ｔ）の順に小さくなるように設定されている。また、副走査倍率ＨＢは、ＨＢ１（Ｔ）、ＨＢ２（Ｔ）、ＨＢ３（Ｔ）の順に小さくなるように設定されている。
【００７２】
次に、ＣＰＵ２０は、Ｓ２において設定された読取面において、原稿Ｇの読取面が両面読取であるか否かを確認する（Ｓ５４）。本実施形態は、原稿Ｇの一方の面を読み取る実施形態であることから、ＣＰＵ２０は、第２ＣＩＳ３２の読み取りに用いるパラメータを設定する処理（Ｓ５６〜Ｓ６４）を実行せず（Ｓ５４：ＮＯ）、パラメータ設定処理を終了する。
【００７３】
ＣＰＵ２０は、読取処理に戻ると、Ｒセンサ１４を用いて搬送中の原稿Ｇの位置を検出する（Ｓ２６：ＮＯ）。ＣＰＵ２０は、Ｒセンサ１４がオンし、原稿Ｇの先端が検出位置Ｙ４に到達したことを検出すると（Ｓ２６：ＹＥＳ）、パラメータ設定処理で設定した第１ステップＰＡだけ原稿Ｇを更に搬送させる（Ｓ２８：ＮＯ）。そして、第１ステップ数ＰＡだけ原稿Ｇが更に搬送されると（Ｓ２８：ＹＥＳ）、第１ＣＩＳ３０に対して原稿Ｇの表面の読み取りを指示する（Ｓ３０）。ＣＰＵ２０は、第１ＣＩＳ３０が原稿Ｇの表面を読み取る際に、又は第１ＣＩＳ３０が取得した読取データに対して、パラメータ設定処理で設定した副走査倍率ＨＢを用いて拡大又は縮小等の処理を実行する。
【００７４】
ＣＰＵ２０は、Ｒセンサ１４がオフするまで原稿Ｇの読み取りを継続させる（Ｓ３２：ＮＯ）。ＣＰＵ２０は、Ｒセンサ１４がオフし、原稿Ｇの後端が検出位置Ｙ４に到達したことを検出すると（Ｓ３２：ＹＥＳ）、パラメータ設定処理で設定した第２ステップ数ＰＢだけ原稿Ｇが更に搬送させる（Ｓ３４：ＮＯ）。そして、第２ステップ数ＰＢだけ原稿Ｇが更に搬送されると（Ｓ３４：ＹＥＳ）、原稿Ｇの表面の読み取りを停止させる（Ｓ３６）。ＣＰＵ２０は、原稿Ｇを原稿サイズに基づいた排紙トレイ４に排紙させて原稿Ｇの搬送を停止させ（Ｓ３８）、読取処理を終了する。
【００７５】
ＣＰＵ２０は、搬送読取処理に戻ると、Ｆセンサ１３を用いて給紙トレイ２に未読取の原稿Ｇが残っているかを検出する（Ｓ２０）。ＣＰＵ２０は、未読取の原稿Ｇが残っている場合（Ｓ２０：ＹＥＳ）、Ｓ４からの処理を繰り返す。一方、未読取の原稿Ｇが残っていない場合（Ｓ２０：ＮＯ）、搬送読取処理を終了する。
【００７６】
４．本実施形態の効果
（１）本実施形態の画像読取装置１では、原稿Ｇが第１原稿種であるか第２原稿種であるかを判断し、その判断結果に応じて第１ステップ数ＰＡ、第２ステップ数ＰＢ、副走査倍率ＨＢ等のパラメータを設定し、原稿Ｇを読み取る。第１原稿種の原稿Ｇは、原稿長が第２搬送距離Ｌ２より短く、第１搬送ローラ４４のみで搬送される期間が存在することから、原稿長が第２搬送距離Ｌ２よりも長く、第１搬送ローラ４４のみで搬送される期間が存在しない第２原稿種の原稿Ｇに比べて、搬送速度が遅くなりやすい。
【００７７】
この画像読取装置では、原稿Ｇが第１原稿種であるか第２原稿種であるかによって、各パラメータを切り換える。更に具体的には、第１原稿種の原稿に対して、第２原稿種の原稿の第１ステップ数ＰＡ及び第２ステップ数ＰＢが大きくなるように設定され、副走査倍率ＨＢが小さくなるように設定されている。従って、原稿Ｇの原稿長に起因して搬送速度が遅れた場合でも、これらのパラメータを用いて画像データを取得することで、画像データに伸縮が生じないようにし、あるいは画像データに生じた伸縮を補正することができ、取得される読取データの伸縮を抑制することができる。
【００７８】
（２）本実施形態の画像読取装置１では、原稿Ｇが第２原稿種であると判断された原稿Ｇに対して、更に原稿Ｇが第３原稿種であるか第４原稿種であるかを判断し、その判断結果に応じて第１ステップ数ＰＡ、第２ステップ数ＰＢ、副走査倍率ＨＢ等のパラメータを設定し、原稿Ｇを読み取る。第３原稿種の原稿Ｇは、原稿幅が中央領域ＭＨの幅Ｈ０より短く、１つの第１搬送ローラ４４のみで搬送されることから、原稿幅が中央領域ＭＨの幅Ｈ０よりも長く、３つの第１搬送ローラ４４で搬送される第４原稿種の原稿Ｇに比べて、搬送速度が遅くなりやすい。
【００７９】
この画像読取装置では、原稿Ｇが第３原稿種であるか第４原稿種であるかによって、各パラメータを切り換える。更に具体的には、第３原稿種の原稿に対して、第４原稿種の原稿の第１ステップ数ＰＡ及び第２ステップ数ＰＢが大きくなるように設定され、副走査倍率ＨＢが小さくなるように設定されている。従って、原稿Ｇの原稿幅に起因して搬送速度が遅れた場合でも、これらのパラメータを用いて画像データを取得することで、画像データに伸縮が生じないようにし、あるいは画像データに生じた伸縮を補正することができ、取得される読取データの伸縮を抑制することができる。
【００８０】
（３）本実施形態の画像読取装置１では、原稿Ｇを読み取る際の装置内の温度Ｔを検出し、検出された温度Ｔに応じて第１ステップ数ＰＡ、第２ステップ数ＰＢ、副走査倍率ＨＢ等のパラメータを設定し、原稿Ｇを読み取る。従って、装置内の温度Ｔの変化に伴って搬送ローラ４４、４６等が膨張又は縮小し、搬送速度に変化が生じた場合でも、これらのパラメータを用いて画像データを取得することで、画像データに伸縮が生じないようにし、あるいは画像データに生じた伸縮を補正することができ、取得される読取データの伸縮を抑制することができる。
【００８１】
（４）本実施形態の画像読取装置１では、読取処理に先だって検出された読取設定から、読み取りの対象となる原稿Ｇの原稿サイズを検出する。そのため、読取処理においては、当該検出した原稿サイズから、原稿Ｇが第１原稿種であるか第２原稿種であるか、あるいは第３原稿種であるか第４原稿種であるかを判断することができる。
【００８２】
＜実施形態２＞
実施形態２を、図４、６、９を用いて説明する。本実施形態は、搬送読取処理において、第１ＣＩＳ３０及び第２ＣＩＳ３２を用いて原稿Ｇの両面を読み取る点で、実施形態１と異なる。以下の説明では、実施形態１と同一の内容については重複した記載を省略する。
【００８３】
１．搬送読取処理
図４に示すように、ＣＰＵ２０は、搬送読取処理を開始すると、搬送読取指示に併せて受け付けた読取設定を検出する（Ｓ２）。本実施形態では、読取設定において、原稿Ｇの読取面が原稿Ｇの表面及び裏面に設定されている。ＣＰＵ２０は、Ｓ４からの処理を実行し、所定の場合に（Ｓ６：ＹＥＳ、Ｓ８：ＮＯ）読取処理を実行する。
【００８４】
図９に、本実施形態の読取処理のフローチャートを示す。読取処理において、ＣＰＵ２０は、まず、搬送部に対して原稿Ｇの搬送を指示し（Ｓ２２）、第１ＣＩＳ３０及び第２ＣＩＳ３２の先端到達タイミングＳＴ、後端到達タイミングＫＴ、及び副走査倍率ＨＢ等のパラメータを各々設定するパラメータ設定処理を実行する（Ｓ２４）。
【００８５】
図６に示すように、ＣＰＵ２０は、パラメータ設定処理において、まず、温度センサ１７を用いて装置内の温度Ｔを検出する（Ｓ４２）。次に、ＣＰＵ２０は、第１ＣＩＳ３０の読み取りに用いるパラメータを設定する処理（Ｓ４４〜Ｓ５２）を実行する。なお、第１ＣＩＳ３０のパラメータを設定する処理は、実施形態１と同一であり、重複した説明を省略する。
【００８６】
次に、ＣＰＵ２０は、Ｓ２において検出した読取設定において、原稿Ｇの読取面が両面読取であるか否かを確認する（Ｓ５４）。本実施形態は、原稿Ｇの両面を読み取る実施形態であることから、ＣＰＵ２０は、第２ＣＩＳ３２の読み取りに用いるパラメータを設定する処理（Ｓ５６〜Ｓ６４）を実行する（Ｓ５４：ＹＥＳ）。
【００８７】
ＣＰＵ２０は、第２ＣＩＳ３２のパラメータを設定する際に、まず、Ｓ２において設定された原稿種における原稿長を、ＲＯＭ２６に記憶された第１搬送距離Ｌ１及び第２搬送距離Ｌ２と比較する（Ｓ５６）。ＣＰＵ２０は、原稿Ｇの原稿長が第１搬送距離Ｌ１以上の長さを有し、第２搬送距離Ｌ２よりも短い場合（Ｓ５６：ＹＥＳ）、原稿Ｇが第１原稿種の原稿Ｇであると判断する。この場合、ＣＰＵ２０は、原稿Ｇが第１原稿種の原稿Ｇであること、及びＳ４２において検出した装置内の温度Ｔに応じて、第２ＣＩＳ３２の先端到達タイミングＳＴ、後端到達タイミングＫＴ、及び副走査倍率ＨＢ等のパラメータ又はこれらのパラメータを設定するためのパラメータを設定する（Ｓ５８）。
【００８８】
具体的には、ＣＰＵ２０は、搬送経路２２を搬送される原稿Ｇの先端が検出位置Ｙ４に到達してから、距離Ｘ２だけ原稿Ｇを搬送する、つまり原稿Ｇの先端が第２読取位置Ｙ２に到達するまでに必要なステップ数である第３ステップ数ＰＣを第１原稿種に対応するＰＣ６（Ｔ）に設定する。これにより、原稿Ｇの先端が検出位置Ｙ４に到達したタイミングから、パルス信号の周期にＰＣ６（Ｔ）を積した時間経過したタイミングが、第２ＣＩＳ３２の先端到達タイミングＳＴとして設定される。
【００８９】
また、ＣＰＵ２０は、搬送経路２２を搬送される原稿Ｇの後端が検出位置Ｙ４に到達してから、距離Ｘ２だけ原稿Ｇを搬送する、つまり原稿Ｇの後端が第２読取位置Ｙ２に到達するまでに必要なステップ数である第４ステップ数ＰＤを第１原稿種に対応するＰＤ６（Ｔ）に設定する。これにより、原稿Ｇの後端が検出位置Ｙ４に到達したタイミングから、パルス信号の周期にＰＤ６（Ｔ）を積した時間経過したタイミングが、第２ＣＩＳ３２の後端到達タイミングＫＴとして設定される。
【００９０】
更に、ＣＰＵ２０は、搬送経路２２を搬送される原稿Ｇが第２読取位置Ｙ２を通過するのに必要なステップ数から、第２ＣＩＳ３２の副走査倍率ＨＢを第１原稿種に対応するＨＢ６（Ｔ）に設定する。
【００９１】
一方、ＣＰＵ２０は、原稿Ｇの原稿長が第１搬送距離Ｌ１及び第２搬送距離Ｌ２以上の長さを有している第２原稿種の原稿Ｇである場合（Ｓ５６：ＮＯ）、更に、Ｓ２において設定された原稿種における原稿幅を、ＲＯＭ２６に記憶された中央領域ＭＨの幅Ｈ０と比較する（Ｓ６０）。ＣＰＵ２０は、原稿Ｇの原稿幅が中央領域ＭＨの幅Ｈ０以下の長さを有する場合（Ｓ６０：ＹＥＳ）、原稿Ｇが第３原稿種の原稿Ｇであると判断する。この場合、ＣＰＵ２０は、原稿Ｇが第３原稿種の原稿Ｇであること、及びＳ４２において検出した装置内の温度Ｔに応じて、第３ステップ数ＰＣをＰＣ５（Ｔ）に設定し、第４ステップ数ＰＤをＰＤ５（Ｔ）に設定し、副走査倍率ＨＢをＨＢ５（Ｔ）に設定する（Ｓ６２）。
【００９２】
一方、ＣＰＵ２０は、原稿Ｇの原稿幅が中央領域ＭＨの幅Ｈ０よりも長い場合（Ｓ６０：ＮＯ）、原稿Ｇの原稿サイズがＡ４サイズ原稿などの大型原稿に属する第４原稿種の原稿Ｇであると判断する。この場合、ＣＰＵ２０は、原稿Ｇが第４原稿種の原稿Ｇであること、及びＳ４２において検出した装置内の温度Ｔに応じて、第３ステップ数ＰＣをＰＣ４（Ｔ）に設定し、第４ステップ数ＰＤをＰＤ４（Ｔ）に設定し、副走査倍率ＨＢをＨＢ４（Ｔ）に設定し（Ｓ５２）、パラメータ設定処理を終了する。
【００９３】
本実施形態では、第３ステップ数ＰＣと第４ステップ数ＰＤが等しい値に設定されている。、図８に示すように、ＲＯＭ２６には同一の温度領域において、第３ステップ数ＰＣは、ＰＣ４（Ｔ）、ＰＣ５（Ｔ）ＰＣ６（Ｔ）の順に大きくなるように設定されている。また、第２ステップ数ＰＤは、ＰＤ４（Ｔ）、ＰＤ５（Ｔ）ＰＤ６（Ｔ）の順に小さくなるように設定されている。また、副走査倍率ＨＢは、ＨＢ４（Ｔ）、ＨＢ５（Ｔ）、ＨＢ６（Ｔ）の順に小さくなるように設定されている。
【００９４】
ＣＰＵ２０は、読取処理に戻ると、Ｒセンサ１４を用いて搬送中の原稿Ｇの位置を検出する（Ｓ７６：ＮＯ）。ＣＰＵ２０は、Ｒセンサ１４がオンし、原稿Ｇの先端が検出位置Ｙ４に到達したことを検出すると（Ｓ７６：ＹＥＳ）、パラメータ設定処理で設定した第１ＣＩＳ３０の第１ステップ数ＰＡだけ原稿Ｇを更に搬送させる（Ｓ７８：ＮＯ）。そして、第１ＣＩＳ３０の第１ステップ数ＰＡだけ原稿Ｇが更に搬送されると（Ｓ７８：ＹＥＳ）、第１ＣＩＳ３０に対して原稿Ｇの一方の面の読み取りを指示する（Ｓ８０）。ＣＰＵ２０は、第１ＣＩＳ３０が原稿Ｇの表面を読み取る際に、又は第１ＣＩＳ３０が取得した読取データに対して、パラメータ設定処理で設定した第１ＣＩＳ３０の副走査倍率ＨＢを用いて拡大又は縮小等の処理を実行する。
【００９５】
また、ＣＰＵ２０は、Ｒセンサ１４がオンしてからパラメータ設定処理で設定した第２ＣＩＳ３２の第３ステップ数ＰＣだけ原稿Ｇを更に搬送させる（Ｓ８２：ＮＯ）。そして、第２ＣＩＳ３２の第３ステップ数ＰＣだけ原稿Ｇが更に搬送されると（Ｓ８２：ＹＥＳ）、第２ＣＩＳ３２に対して原稿Ｇの裏面の読み取りを指示する（Ｓ８４）。ＣＰＵ２０は、第２ＣＩＳ３２が原稿Ｇの表面を読み取る際に、又は第２ＣＩＳ３２が取得した読取データに対して、パラメータ設定処理で設定した第２ＣＩＳ３２の副走査倍率ＨＢを用いて拡大又は縮小等の処理を実行する。
【００９６】
ＣＰＵ２０は、Ｒセンサ１４がオフするまで原稿Ｇの読み取りを継続させる（Ｓ８６：ＮＯ）。ＣＰＵ２０は、Ｒセンサ１４がオフし、原稿Ｇの後端が検出位置Ｙ４に到達したことを検出すると（Ｓ８６：ＹＥＳ）、パラメータ設定処理で設定した第１ＣＩＳ３０の第２ステップ数ＰＢだけ原稿Ｇを更に搬送させる（Ｓ８８：ＮＯ）。そして、第１ＣＩＳ３０の第２ステップ数ＰＢだけ原稿Ｇが更に搬送されると（Ｓ８８：ＹＥＳ）、第１ＣＩＳ３０による原稿Ｇの表面の読み取りを停止させる（Ｓ９０）。
【００９７】
また、ＣＰＵ２０は、Ｒセンサ１４がオフしてからパラメータ設定処理で設定した第２ＣＩＳ３２の第４ステップ数ＰＤだけ原稿Ｇを更に搬送させる（Ｓ９２：ＮＯ）。そして、第２ＣＩＳ３２の第４ステップ数ＰＤだけ原稿Ｇが更に搬送されると（Ｓ９２：ＹＥＳ）、第２ＣＩＳ３２による原稿Ｇの表面の読み取りを停止させる（Ｓ９４）。ＣＰＵ２０は、原稿Ｇを原稿サイズに基づいた排紙トレイ４に排紙して原稿Ｇの搬送を停止し（Ｓ９６）、読取処理を終了する。
【００９８】
ＣＰＵ２０は、搬送読取処理に戻ると、Ｆセンサ１３を用いて給紙トレイ２に未読取の原稿Ｇが残っているかを検出する（Ｓ２０）。ＣＰＵ２０は、未読取の原稿Ｇが残っている場合（Ｓ２０：ＹＥＳ）、Ｓ４からの処理を繰り返す。一方、未読取の原稿Ｇが残っていない場合（Ｓ２０：ＮＯ）、搬送読取処理を終了する。
【００９９】
２．本実施形態の効果
本実施形態の画像読取装置１では、第１ＣＩＳ３０及び第２ＣＩＳ３２を用いて原稿Ｇの両面を読み取る際に、各ＣＩＳにおいて、原稿長や原稿幅に起因して生じる画像データの伸縮を抑制することができる。特に、搬送経路２２において第１ＣＩＳ３０が載置されている第１読取位置Ｙ２と、第２ＣＩＳ３２が載置されている第２読取位置Ｙ２が異なる場合には、これらの位置の違いを考慮して、画像データの伸縮を抑制することができる。
【０１００】
＜他の実施形態＞
本発明は上記記述及び図面によって説明した実施形態に限定されるものではなく、例えば次のような種々の態様も本発明の技術的範囲に含まれる。
（１）上記実施形態では、スキャナ機能を備えた画像読取装置１を用いて説明を行ったが、本発明はこれに限られず、プリンタ機能、コピー機能、ファクシミリ機能などを備えた複合機であってもよい。
【０１０１】
（２）上記実施形態では、画像読取装置１が１つのＣＰＵ２０を有し、この１つのＣＰＵ２０によって搬送読取処理等の各種処理が実行される例を用いて説明を行ったが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【０１０２】
（３）また、ＣＰＵ２０が実行するプログラムは必ずしもＲＯＭ２６に記憶されている必要はなく、ＣＰＵ２０自身に記憶されていてもよければ、他の記憶装置に記憶されていてもよい。
【０１０３】
（４）上記実施形態では、画像読取装置１の搬送ローラ４４、４６の位置関係に基づいて、第１原稿種の原稿Ｇの例として名刺を用いて説明を行い、第３原稿種の原稿Ｇの例としてハガキを用いて説明を行い、第４原稿種の原稿Ｇの例としてＡ４サイズ原稿を用いて説明を行ったが、本発明はこれに限られるものではない。搬送ローラ４４、４６の位置関係の変更によっては、第１原稿種の原稿Ｇにハガキが含まれることがあり、第３原稿種の原稿ＧにＡ４サイズ原稿が含まれることがある。
【０１０４】
（５）上記実施形態では、原稿Ｇが第３原稿種であるか第４原稿種であるかを判断する際に、読取設定から原稿サイズを検出する例を用いて説明を行ったが、本発明はこれに限られるものではない。原稿サイズ検知センサ１６の状態に基づいて原稿Ｇが小型原稿であるか大型原稿であるかを判断してもよい。更には、原稿サイズ検知センサ１６とトレイ板検知センサ１５の状態に矛盾が生じていない場合には、原稿サイズ検知センサ１６に代わってトレイ板検知センサ１５の状態に基づいて原稿Ｇが小型原稿であるか大型原稿であるかを判断してもよい。
【０１０５】
（６）上記実施形態では、原稿Ｇが第１原稿種であるか第２原稿種であるかを判断し、第２原稿種の原稿であると判断された場合に、更に原稿Ｇが第３原稿種であるか第４原稿種であるかが判断される例を用いて説明を行ったが、本発明はこれに限られるものではない。例えば、原稿Ｇが第１原稿種であるか第２原稿種であるかのみを判断してもよい。さらには、原稿Ｇが第３原稿種であるか第４原稿種であるかのみを判断してもよい。
【０１０６】
（７）上記実施形態では、第２ＣＩＳ３２の読み取りに用いるパラメータを設定する処理（Ｓ５６〜Ｓ６４）において、第１ＣＩＳ３０の読み取りに用いるパラメータを設定する処理（Ｓ４４〜Ｓ５２）において実行された処理と同一の判断を行っている例を用いて説明を行ったが、本発明はこれに限られるものではない。先に行われる第１ＣＩＳ３０の読み取りに用いるパラメータを設定する処理（Ｓ４４〜Ｓ５２）における判断結果を一時的に記憶して、それを第２ＣＩＳ３２の読み取りに用いるパラメータを設定する処理（Ｓ５６〜Ｓ６４）で用いてもよい。
【０１０７】
（８）上記実施形態では、原稿Ｇが第３原稿種であるか第４原稿種であるかを判断する際に、中央領域ＭＨの幅Ｈ０という１つの閾値を用いて判断する例を用いて説明を行ったが、複数の閾値を用いて判断を行ってもよい。更には、複数の閾値を用いて、３つ以上の原稿種のいずれにあたるかを判断してもよい。
【符号の説明】
【０１０８】
１：画像読取装置、２：給紙トレイ、４Ａ、４Ｂ：排紙トレイ、１１：操作部、１２：表示部、１７：温度センサ、２２：搬送経路、２２Ａ：Ｓパス、２２Ｂ：Ｕパス、３０、３２：ＣＩＳ、４０：給紙ローラ、４４：第１搬送ローラ、４６：第２搬送ローラ、５４：トレイ板、Ｄ１：主走査方向、Ｄ２：搬送方向（副走査方向）、Ｈ：搬送領域、ＨＢ：副走査倍率、ＫＴ：後端到達タイミング、ＳＴ：先端到達タイミング、Ｌ１：第１搬送距離、Ｌ２：第２搬送距離
【図１】
2014103561.tif 000003
【図２】
2014103561.tif 000004
【図３】
2014103561.tif 000005
【図４】
2014103561.tif 000006
【図５】
2014103561.tif 000007
【図６】
2014103561.tif 000008
【図７】
2014103561.tif 000009
【図８】
2014103561.tif 000010
【図９】
2014103561.tif 000011
【図１０Ａ】
2014103561.tif 000012
【図１０Ｂ】
2014103561.tif 000013
【図１１Ａ】
2014103561.tif 000014
【図１１Ｂ】
2014103561.tif 000015